(57)【要約】  ある程度の空間的な広がりのある範囲にいる多数の人間のそれぞれから生体情報をリアルタイムで取得する技術を提供する。  データ収集システムは、各ユーザが持つ多数の生体情報検知装置１００と、複数のデータ収集装置２００とから構成される。各生体情報検知装置１００は、ユーザの生体情報を検知して得た検知データを暗号化したものである暗号化データを指向性の無い電波にのせて、その周囲に発信する。その電波を受取る範囲内にあるデータ収集装置２００は、暗号化データを受信し、それを復号化して得た検知データを検知データ記録部に記録する。
2018042493.tif 000002
【特許請求の範囲】
【請求項１】
経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている、多数のユーザがそれぞれ保持する多数の生体情報検知装置と、
前記所定の距離範囲内にある前記生体情報検知装置から前記暗号化データを受信する受信部と、前記暗号化データを復号化して前記検知データとする復号化部と、を備えている、互いに離れたところに配置されることが予定された複数のデータ収集装置と、
を含んでいる生体情報収集システム。
【請求項２】
前記生体情報検知装置それぞれの暗号化部が暗号化に用いるアルゴリズムはすべて共通であるとともに、前記データ収集装置それぞれの復号化部が復号化に用いるアルゴリズムはすべて共通である、
請求項１記載の生体情報収集システム。
【請求項３】
前記生体情報検知装置のそれぞれは、前記生体情報検知装置のそれぞれを識別するために割振られた識別情報を備えているとともに、前記送信部のそれぞれは、前記識別情報を前記暗号化データに付して送信するようになっており、
前記データ収集装置のそれぞれは、前記暗号化データを復号化した場合に、かかる復号化を行うことによって得られた前記検知データを、前記検知データの元となった前記暗号化データに付されていた前記識別情報と紐付けるようになっている、
請求項１又は２記載の生体情報収集システム。
【請求項４】
前記生体情報検知装置それぞれの暗号化部が暗号化に用いるアルゴリズムはすべて共通であるとともに、前記データ収集装置それぞれの復号化部が復号化に用いるアルゴリズムはすべて共通であり、
前記生体情報検知装置のそれぞれは、前記生体情報検知装置のそれぞれを識別するために割振られた識別情報を備えているとともに、
前記生体情報検知装置のそれぞれの前記暗号化部は、当該生体情報検知装置が持つ前記識別情報に基づく鍵を用いて前記検知データの暗号化を行うようになっているとともに、前記データ収集装置のそれぞれの前記復号化部は、前記データ収集装置のそれぞれが受取った前記暗号化データに付された前記識別情報に基づく鍵を用いて前記暗号化データの復号化を行うようになっている、
請求項１記載の生体情報収集システム。
【請求項５】
経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている、多数のユーザがそれぞれ保持する多数の生体情報検知装置と、
の組合せにより、生体情報収集システムを構成するための、互いに離れたところに配置して複数で用いられることが予定されたデータ収集装置であって、
前記所定の距離範囲内にある前記生体情報検知装置から前記暗号化データを受信する受信部と、
前記暗号化データを復号化して前記検知データとする復号化部と、
を備えている、
データ収集装置。
【請求項６】
経時的に変動する所定の生体情報についての値を人体から検知する検知部と、
前記検知部で検知した前記値についてのデータである検知データを暗号化して暗号化データとする暗号化部と、
前記暗号化データを所定の距離範囲に対して無線で所定の時間間隔毎に送信する送信部と、
を備えており、
前記所定の距離範囲内にある前記生体情報検知装置から前記暗号化データを受信する受信部と、前記暗号化データを復号化して前記検知データとする復号化部と、を備えている、互いに離れたところに配置されることが予定された複数のデータ収集装置と、
の組合せにより、生体情報収集システムを構成するための、多数のユーザにそれぞれ保持させて多数で用いることが予定された、生体情報検知装置。
【請求項７】
請求項６記載の生体情報収集システムにおける前記生体情報検知装置を、経時的に変動する所定の生体情報についての値を人体から検知する検知装置との組合せにより構成するための、送信装置であって、
前記検知装置から前記値についてのデータである検知データを受取る受取り部と、前記受取り部で受取った前記検知データを暗号化して暗号化データとする暗号化部と、前記暗号化データを所定の距離範囲に対して無線で所定の時間間隔毎に送信する送信部と、を備えており、且つ前記検知装置との組合せを変更できるようになっている、
送信装置。
【請求項８】
多数のユーザがそれぞれ保持する多数の生体情報検知装置のそれぞれで実行される、
経時的に変動する所定の生体情報についての値を人体から検知する過程と、
検知した前記値についてのデータである検知データを暗号化して暗号化データとする過程と、
前記暗号化データを所定の距離範囲に対して無線で所定の時間間隔毎に送信する過程と、
互いに離れたところに配置された複数のデータ収集装置のそれぞれで実行される、
前記所定の距離範囲内にある前記生体情報検知装置から前記暗号化データを受信する過程と、
前記暗号化データを復号化して前記検知データとする過程と、
を含んでいる生体情報収集方法。
【発明の詳細な説明】
【技術分野】
【０００１】
本発明は、多数の人間の生体情報を収集する技術に関する。
【背景技術】
【０００２】
多数の人間の生体情報を収集したい場合がある。なお、本願における生体情報とは、人間の身体から得られる情報であって、経時的に変化し、且つその情報を何らかの「値」により表現できるもの一般を意味する。例えば、心拍数、血圧、脈波圧、体温、発汗量、脳波、心電図等、或いはそれらの組合せが、本願における生体情報に該当する。
例えば、マラソン大会においては、多数のランナーが長距離を走る。そのとき、各ランナーの生体情報、例えば、心拍数、血圧、体温、心電図等の少なくとも１つをリアルタイムで監視することができれば、各ランナーの身体に生じた異変を即座に知得することが可能となり、各ランナーに生じる不測の事態を未然に防ぐか、或いは被害を最小限に抑えることが可能となる可能性がある。
また、例えば、多数のブースに区切られた大きなイベント会場でイベントが催される場合、そのイベント会場を訪れている多数の来場者の生体情報、例えば、心拍数、血圧等を監視することができれば、各ブースにおける来場者の反応（楽しんだか、驚いたか、或いは白けて反応がないか）等の分析が可能となる可能性がある。この場合には、来場者の生体情報の監視は必ずしもリアルタイムである必要はなく、取得して記録しておいた生体情報を用いることにより、各ブースにおける来場者の反応を事後的に分析することもできる。【０００３】
このように、ある程度の空間的な広がりのある範囲にいる多数の人間のそれぞれから生体情報をリアルタイムで取得することができれば、多数の人間から取得した生体情報をリアルタイムに用いることもできるし、或いは後で用いることもできるし、また、各人間を特定して各人間についてのデータとして取得した生体情報を用いることもできるし、或いは各人間を特定しないでいわゆるビッグデータとして取得した生体情報を用いることもできるし、上述の如く例示した場合のみならず、その利用価値は十分にあると考えられる。
【発明の概要】
【発明が解決しようとする課題】
【０００４】
ところが、ある程度の空間的な広がりのある範囲にいる多数の人間のそれぞれから生体情報をリアルタイムで取得するという技術は、少なくとも低コストでそれを実現したいという部分まで考慮すると存在しない。
上述の技術を実現するには、例えば、各人間が保持するその人間の生体情報を検知して検知データを生成する生体情報検知装置と、生体情報検知装置から検知データを受取るものとされ、異なる場所に配置される複数のデータ収集装置とが必要となるであろう。そしてこれら、生体情報検知装置と、データ収集装置とは、上述の技術がある程度の空間的な広がりのある範囲にいる多数の人間の生体情報を取得するものであり、その範囲の中を人間が移動することが前提となることを考慮すれば、無線により通信を行うことが事実上必要となる。
そのような短距離での無線での通信を実現するための技術として例えば、Ｂｌｕｅｔｏｏｔｈ（商標）が知られているが、これは上述の用途に応用することが難しい。
というのは、Ｂｌｕｅｔｏｏｔｈは基本的に一対一での通信を行うことを前提としており、そのために通信の開始に先立って、送信側と受信側とを対にするためのいわゆるペアリングという処理を必要とするのがその主な原因である。ペアリングを行うには、当然に通信を行う相手側の装置を特定することが必要であるが、例えば、データ収集装置から見た場合、非常に多数である生体情報検知装置のうちのどの生体情報検知装置と通信するかを決定しようとする（その生体情報検知装置とペアリングしようとする）ときに、ペアリングすべき生体情報検知装置に誤りが生じたり、そもそもペアリングすべき生体情報検知装置がどれかわからないということも生じうる。また、上述したように、データ収集装置は複数であるところ、一度あるデータ収集装置とペアリングされた生体情報検知装置は、そのペアリングを終了しなければ他のデータ収集装置とペアリングを行うことができないため、ユーザが携行する生体情報検知装置が、ユーザの移動に連れて、異なるデータ収集装置と次々とペアリングを行い、異なるデータ収集装置に対して次々と検知データを送信する等ということは、生体情報検知装置を異なるデータ収集装置と次々とペアリングさせるための処理が余りにも煩雑に過ぎることから、事実上不可能である。【０００５】
このような問題は、Ｂｌｕｅｔｏｏｔｈに限らず、一対一で通信を行う技術一般に生じうる。
つまり、ある程度の空間的な広がりのある範囲にいる多数の人間のそれぞれから生体情報をリアルタイムで取得するという技術は、本願発明者の知りうる範囲では存在しない。
本願発明は、ある程度の空間的な広がりのある範囲にいる多数の人間のそれぞれから生体情報をリアルタイムで取得するという技術を提供することを、その課題とする。
【課題を解決するための手段】
【０００６】
上述の課題を解決するために、本願発明者は、以下の発明を提案する。
本願発明は、経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている、多数のユーザがそれぞれ保持する多数の生体情報検知装置と、前記所定の距離範囲内にある前記生体情報検知装置から前記暗号化データを受信する受信部と、前記暗号化データを復号化して前記検知データとする復号化部と、を備えている、互いに離れたところに配置されることが予定された複数のデータ収集装置と、を含んでいる生体情報収集システムである。
かかる生体情報収集システムは、複数の生体情報検知装置と、複数のデータ収集装置とを含んで構成される。複数の生体情報検知装置はそれぞれ、生体情報を検知して検知データを生成する検知部を備えており、また、検知データを無線で所定の時間間隔毎に送信する送信部を備えている。他方、複数のデータ収集装置は、検知データを受信する受信部を備えている。
ここで、生体情報検知装置は、検知データを暗号化して暗号化データにする暗号化部を備えており、検知データを暗号化データにしてから送信するようになっている。他方、データ収集装置は、暗号化データを復号化して検知データに戻す復号化部を備えており、復号化部で暗号化データを復号化して得られた、各生体情報検知装置で生成された検知データを収集するようになっている。収集された検知データは、各データ収集装置内で、例えばリアルタイムで利用されても良いし、各データ収集装置から他の装置に送られて当該他の装置でリアルタイムで利用されても良いし、各データ収集装置、或いは他の装置に記録され、後に利用されても構わない。
この生体情報収集システムでは、多数の生体情報検知装置と、複数のデータ収集装置とは、一対一のペアリングを行わない。生体情報検知装置は、無線で（一般的には電波で）暗号化データを周囲に所定の距離範囲に向けて指向性無く発する。したがって、データ収集装置は、電波が届く範囲に生体情報検知装置が入ってきた場合には、当該生体情報検知装置からの暗号化データを受取ることができる。生体情報検知装置がそれを保持する人間とともに移動すると、最初に生体情報検知装置から電波を受け取っていたデータ収集装置がその生体情報検知装置からの電波を受取らなくなるとともに、別のデータ収集装置が電波を受取るようになる。このときに、背景技術で述べたようなペアリングが必要ないので、本願発明は非常に使い易い現実的な技術となる。なお、生体情報検知装置から電波が届く範囲に複数のデータ収集装置が存在するのであれば、１つの生体情報検知装置からの電波が複数のデータ収集装置に受取られることもある。
この生体情報収集システムでは、上述したように、検知データを暗号化し暗号化データとしてから、生体情報検知装置からデータ収集装置に送信することとしている。この生体情報収集システムの生体情報検知装置は、データ収集装置とペアリングすることなしに、外部に電波を適当に発する。生体情報検知装置からすれば、この電波に乗った検知データがどの装置に受取られたかを知ることもできないし、少なくともこの生体情報収集システムの設計思想からすればそれを知る必要もない。しかしながら、検知データが暗号化されていれば、仮にデータ収集装置以外の装置を用いて第三者に暗号化データを受取られたとしても、その第三者に検知データを悪用されることがない。言葉を変えれば、それを復号化できるデータ収集装置は、この生体情報収集システムに正当に組込まれているデータ収集装置であることが明らかなのであるから、データ収集装置に復号化の処理を行わせることで、生体情報検知装置から見れば、データ収集装置の正当性の認証を行っているが如き状況を作ることができる。
このような仕組みにより、この生体情報収集システムは、ある程度の空間的な広がりのある範囲にいる多数の人間のそれぞれから生体情報をリアルタイムで取得するという技術として実用的なものとなる。【０００７】
本願の生体情報収集システムでは上述のように、その生体情報検知装置で検知データを暗号化して暗号化データにし、またそのデータ収集装置で暗号化データを復号化して検知データにする。その場合に用いられる暗号化及び復号化のための技術はどのようなものでもよい。また、各生体情報検知装置で用いられる暗号化の技術はそれぞれ異なるものであってもよいし、すべて同じものであってもよい。データ収集装置は、各生体情報検知装置で用いられる暗号化の技術がすべて同じものであれば、それぞれの生体情報検知装置から受取った暗号化データを同じ方法で復号化するし、それぞれの生体情報検知装置から受取った暗号化データが異なる方法で暗号化されたのであれば、それぞれの生体情報検知装置から受取った暗号化データをそれぞれ異なる方法で復号化する。
例えば、前記生体情報検知装置それぞれの暗号化部が暗号化に用いるアルゴリズムはすべて共通であるとともに、前記データ収集装置それぞれの復号化部が復号化に用いるアルゴリズムはすべて共通であってもよい。そうすれば、各データ収集装置が、それぞれの生体情報検知装置から受取った暗号化データを復号化するスピードを早めるか、或いはその処理を簡単にすることができるようになる。
前記生体情報検知装置のそれぞれは、前記生体情報検知装置のそれぞれを識別するために割振られた識別情報を備えているとともに、前記送信部のそれぞれは、前記識別情報を前記暗号化データに付して送信するようになっていても構わない。その場合、前記データ収集装置のそれぞれは、前記暗号化データを復号化した場合に、かかる復号化を行うことによって得られた前記検知データを、前記検知データの元となった前記暗号化データに付されていた前記識別情報と紐付けるようになっていても構わない。このような生体情報収集システムによれば、各データ収集装置は、各生体情報検知装置から送られてきた検知データを、どの生体情報検知装置からの検知データかを区別して扱うことができるようになる。しかも、かかる区別は、各生体情報検知装置に付与された互いにユニークな識別情報によって行われるので、すべてのデータ収集装置は、同一の生体情報検知装置を同一のものとして扱うことができることになる。これは、すべてのデータ収集装置で収集された検知データをまとめて分析等する際に、非常に便利である。
上述のように、前記生体情報検知装置それぞれの暗号化部が暗号化に用いるアルゴリズムはすべて共通であるとともに、前記データ収集装置それぞれの復号化部が復号化に用いるアルゴリズムはすべて共通とすることができる。その場合、前記生体情報検知装置のそれぞれは、前記生体情報検知装置のそれぞれを識別するために割振られた識別情報を備えていてもよく、更にその場合には、前記生体情報検知装置のそれぞれの前記暗号化部は、当該生体情報検知装置が持つ前記識別情報に基づく鍵を用いて前記検知データの暗号化を行うようになっているとともに、前記データ収集装置のそれぞれの前記復号化部は、前記データ収集装置のそれぞれが受取った前記暗号化データに付された前記識別情報に基づく鍵を用いて前記暗号化データの復号化を行うようになっていても構わない。これによれば、各生体情報検知装置からデータ収集装置に送られる暗号化データ毎に、生体情報検知装置で異なる鍵を用いた暗号化がなされるとともに、データ収集装置では、異なる鍵を用いて復号化がなされるので、検知データの第三者による悪用の可能性がより小さくなる。それに加えて、データ収集装置において、復号化に用いられるアルゴリズムが、どの生体情報検知装置から送られてきた暗号化データに対しても同一であるので、各データ収集装置がそれぞれの生体情報検知装置から受取った暗号化データを復号化する処理が煩雑になったり、その処理スピードが遅くなったりするおそれは小さい。【０００８】
本願発明者は、本願発明の一態様として、以下のデータ収集装置をも提案する。かかるデータ収集装置の効果は、本願発明による生体情報収集システムの効果に等しい。
一例となるデータ収集装置は、経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている、多数のユーザがそれぞれ保持する多数の生体情報検知装置と、の組合せにより、生体情報収集システムを構成するための、互いに離れたところに配置して複数で用いられることが予定されたデータ収集装置である。
そしてこのデータ収集装置は、前記所定の距離範囲内にある前記生体情報検知装置から前記暗号化データを受信する受信部と、前記暗号化データを復号化して前記検知データとする復号化部と、を備えている。
本願発明者は、本願発明の一態様として、以下の生体情報検知装置をも提案する。かかる生体情報検知装置の効果は、本願発明による生体情報収集システムの効果に等しい。
一例となる生体情報検知装置は、経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている。
そして、この生体情報検知装置は、前記所定の距離範囲内にある前記生体情報検知装置から前記暗号化データを受信する受信部と、前記暗号化データを復号化して前記検知データとする復号化部と、を備えている、互いに離れたところに配置されることが予定された複数のデータ収集装置と、の組合せにより、生体情報収集システムを構成するためのものであり、多数のユーザにそれぞれ保持させて多数で用いることが予定されている。
本願発明者は、本願発明の一態様として、以下の送信装置をも提案する。かかる送信装置の効果は、本願発明による生体情報収集システムの効果に、追って述べる効果を加えたものとなる。
かかる送信装置は、本願発明による前記生体情報検知装置を、経時的に変動する所定の生体情報についての値を人体から検知する検知装置との組合せにより構成するための、送信装置である。
そして、かかる送信装置は、前記検知装置から前記値についてのデータである検知データを受取る受取り部と、前記受取り部で受取った前記検知データを暗号化して暗号化データとする暗号化部と、前記暗号化データを所定の距離範囲に対して無線で所定の時間間隔毎に送信する送信部と、を備えており、且つ前記検知装置との組合せを変更できるようになっている。この送信装置は、要するに、生体情報検知装置における検知部を、検知装置として独立させ、送信装置に対して組合せ可能としたものである。検知装置が検知する「値」の例には、心拍数、血圧、脈波圧、体温、発汗量、脳波、心電図等、或いはそれらの組合せがあるが、これらのうちの異なるものを検知する検知部又は検知装置は異なるものとなる。検知装置と送信装置とを別体にし且つそれらを組合せられるようにすることにより、１つの送信装置に対して検知装置を交換することにより、生体情報収集システムで様々な「値」を検知できるようになる一方、コストの上昇を抑えられるようになる。
本願発明者は、本願発明の一態様として、以下の生体情報収集方法をも提案する。かかる生体情報収集方法の効果は、本願発明による生体情報収集システムの効果に等しい。
その方法の一例は、多数のユーザがそれぞれ保持する多数の生体情報検知装置のそれぞれで実行される、経時的に変動する所定の生体情報についての値を人体から検知する過程と、検知した前記値についてのデータである検知データを暗号化して暗号化データとする過程と、前記暗号化データを所定の距離範囲に対して無線で所定の時間間隔毎に送信する過程と、互いに離れたところに配置された複数のデータ収集装置のそれぞれで実行される、前記所定の距離範囲内にある前記生体情報検知装置から前記暗号化データを受信する過程と、前記暗号化データを復号化して前記検知データとする過程と、を含んでいる生体情報収集方法である。
【図面の簡単な説明】
【０００９】
【図１】本発明の一実施形態によるデータ収集システムに含まれる生体情報検知装置の全体構成を概略的に示す斜視図。
【図２】図１に示した生体情報検知装置に含まれる送信装置のハードウエア構成図。
【図３】図１に示した生体情報検知装置に含まれる送信装置内に形成される機能ブロックを示すブロック図。
【図４】本発明の一実施形態によるデータ収集システムに含まれるデータ収集装置のハードウエア構成図。
【図５】本発明の一実施形態によるデータ収集システムに含まれるデータ収集装置内に形成される機能ブロックを示すブロック図。
【図６】本発明の一実施形態によるデータ収集システムの使用方法を説明するためのイベント会場の平面図。
【図７】本発明の一実施形態によるデータ収集システムに含まれるデータ収集装置内の検知データ記録部に記録された検知データの例を概念的に示す図。
【発明を実施するための形態】
【００１０】
以下、図面を参照して、本発明の実施の形態について説明する。
【００１１】
本願発明の一実施形態について説明する。
この実施形態における生体情報収集システムは、多数の生体情報検知装置と、複数のデータ収集装置とからなる。生体情報収集システムは、あるイベント、例えば、後述するような、幾つかのステージが設けられた広い会場で行われるイベントにおいて、生体情報を検知される対象となる人間でありイベントの来客者であるユーザ、それも多数のユーザの生体情報を、略リアルタイムで収集するものとなっている。
生体情報検知装置は、生体情報を検知される対象となる人間であるユーザが保持する。これには限られないが、この実施形態では、各ユーザが1つの生体情報検知装置を保持するものとする。もっとも、全ユーザに生体情報検知装置を保持させる必要はなく、例えば、ユーザのうちの８割しか生体情報検知装置を持っていないということもあり得る。生体情報検知装置の所有者は、ユーザ自身であっても良いが、この実施形態では、生体情報収集システムの管理者（例えば、イベントの主催者、或いはイベントの主催者から生体情報の収集を行うことについての委託を受けた、生体情報収集システムの所有者）が所有者であり、生体情報収集システムの管理者が各ユーザに、イベントが行われている間のみ一時的に貸与するものとする。
【００１２】
生体情報検知装置１００の概観を図１に示す。
生体情報検知装置１００は、送信装置１１０と、センサ装置１２０とから構成されている。センサ装置１２０は可搬であり、それが可能な程度の大きさ、重量とされる。
センサ装置１２０は、ユーザの生体情報を検知する装置である。生体情報の例としては、心拍数、血圧、脈波圧、体温、発汗量、脳波、心電図等、或いはそれらの組合せを挙げることができる。センサ装置１２０は、ユーザの生体情報を検知し、それらについての値を特定するデータである検知データを生成するようになっている。
図１には２種類のセンサ装置１２０（それらを、図１では、１２０Ａ、１２０Ｂとしている。）が示されている。そのうちのセンサ装置１２０Ａは、心拍数を測定するためのものである。センサ装置１２０Ａは、ユーザの身体の適宜の部分に固定して用いる、小さな円盤型の心拍数センサ部１２０Ａ１を備えている。心拍数センサ部１２０Ａ１は、ユーザの心拍数（１分辺りの心拍数）を測定する公知、或いは周知のセンサである。心拍数センサ部１２０Ａ１は、ユーザの心拍数を検知し、ユーザのその時点における心拍数（値）を特定するデータである検知データを適宜の時間間隔で生成するようになっている。この実施形態では、これには限られないが、心拍数センサ部１２０Ａ１は、１秒に１回、検知データを生成するようになっている。
心拍数センサ部１２０Ａ１は、ケーブル１２０Ａ２の一端に接続されている。ケーブル１２０Ａ２の他端には、出力端子１２０Ａ３が設けられている。ケーブル１２０Ａ２は、検知データを、心拍数センサ部１２０Ａ１から出力端子１２０Ａ３に送る公知、或いは周知のケーブルである。出力端子１２０Ａ３は、後述する入力端子に対して、検知データを出力するものである。
他方、センサ装置１２０Ｂは、脈波を測定するためのものである。センサ装置１２０Ｂは、ユーザの身体の指に嵌めて用いる筒状の脈波センサ部１２０Ｂ１を備えている。脈波センサ部１２０Ｂ１は、ユーザの脈波を測定する公知、或いは周知のセンサである。脈波センサ部１２０Ｂ１は、ユーザの脈波を検知し、ユーザのその時点における脈波（値）を特定するデータである検知データを適宜の時間間隔で生成するようになっている。この実施形態では、これには限られないが、脈波センサ部１２０Ｂ１は、１秒に１回、検知データを生成するようになっている。
脈波センサ部１２０Ｂ１は、ケーブル１２０Ｂ２の一端に接続されている。ケーブル１２０Ｂ２の他端には、出力端子１２０Ｂ３が設けられている。ケーブル１２０Ｂ２は、検知データを、脈波センサ部１２０Ｂ１から出力端子１２０Ｂ３に送る公知、或いは周知のケーブルである。出力端子１２０Ｂ３は、後述する入力端子に対して、検知データを出力するものである。
上述のセンサ装置１２０は、心拍数又は脈波を検知するものとなっていたが、他のパラメータを検知したいのであれば、その心拍数センサ部１２０Ｂ１又は脈波センサ部１２０Ｂ１を他のセンサに置き換えれば良い。
【００１３】
上述したように、センサ装置１２０は、送信装置１１０との組合せにより生体情報検知装置１００を成すものである。送信装置１１０と組合せるセンサ装置１２０の種類を変更することによって、生体情報検知装置１００で検知することのできる生体情報の種類が異なる。
例えば、送信装置１１０とセンサ装置１２０Ａとを組合せた場合において生体情報検知装置１００で検知される生体情報は心拍数となり、送信装置１１０とセンサ装置１２０Ｂとを組合せた場合において生体情報検知装置１００で検知される生体情報は脈波となる。上述の例では、センサ装置１２０は２種類であったが、もちろん他の生体情報（複数種類のパラメータの組合せの場合もあり得る。）を測定するためのセンサ装置１２０を準備して送信装置１１０と組合せることにより、生体情報検知装置１００で測定する生体情報を更に異なるものとすることも可能である。
【００１４】
送信装置１１０は、センサ装置１２０から受取った検知データを、データ収集装置２００に送信するものである。
送信装置１１０は、必ずしもその限りではないが、この実施形態では略直方体形状に構成されたケース１１１を備えている。ケース１１１は、例えば、スマートフォン程度の大きさ、可能であればユーザの衣服にあると想定される一般的なポケットに入れることのできる程度の大きさにするのが好ましい。
ケース１１１の適当な部分、必ずしもその限りではないが、この実施形態ではケース１１１の上方には入力端子１１２が設けられている。入力端子１１２は、上述したセンサ装置１２０の出力端子１２０Ａ３又は１２０Ｂ３と着脱自在に接続可能となっており、接続された出力端子１２０Ａ３又は１２０Ｂ３から上述の検知データを受取るようになっている。
【００１５】
送信装置１１０は、そのケース１１１の内部に、図２に示したようなハードウエアを備えている。この実施形態における送信装置１１０は、ＣＰＵ（Central Processing Unit）１３１、ＲＯＭ（Read Only Memory）１３２、ＲＡＭ（Random Access Memory）１３３、インタフェイス１３４、及びこれらを接続するバス１３５を備えている。
ＣＰＵ１３１は、演算装置であり、送信装置１１０全体の制御を行う。ＣＰＵ１３１は、プログラムを実行することで、以下に説明するような種々の処理を実行する。
ＲＯＭ１３２は、書換不可能なメモリであり、ＣＰＵ１３１を動作させるためのプログラム、データなどを記憶している。ＲＯＭ１３２には、上記データの１つとして、後述する識別情報も記録されている。上記プログラムとしては、例えば、ＣＰＵ１３１を動作させるためのＯＳが記録されている。また、送信装置１１０を本願発明の送信装置として機能させるためのプログラムも、ＲＯＭ１３２に記録されている。なお、それらプログラムは、送信装置１１０の出荷時から送信装置１１０にインストールされていてもよい。プログラムが後述する大容量記録装置に記録されているのであれば、プログラムは、送信装置１１０の出荷後に、例えば管理者により送信装置１１０にインストールされたものであっても構わない。送信装置１１０の出荷後にそのプログラムが送信装置１１０にインストールされる場合、そのプログラムは、ＣＤ−ＲＯＭ等の記録媒体から送信装置１１０にインストールされてもよく、また、インターネット等の所定のネットワークからのダウンロードを経て送信装置１１０にインストールされたものであってもよい。上述のプログラムは、それ単独で後述する処理をＣＰＵ１３１に実行させるものとなっていてもよく、ＯＳその他の他のプログラムとの協働により後述の処理をＣＰＵ１３１に実行させるものとなっていても構わない。なお、ＲＯＭ１３２に加えて、ＨＤＤ（Hard Disk Drive）その他の大容量記録媒体を設け、それに上述の如きプログラム、データを記録させることも可能である。
ＲＡＭ１３３は、書換可能なメモリであり、ＣＰＵ１３１が以下の処理を実行する場合のワーク領域を提供する。
インタフェイス１３４は、ＣＰＵ１３１、ＲＯＭ１３２、ＲＡＭ１３３と送信装置１１０の図２で示したハードウエアの外部とを繋ぐ窓口となるものであり、ＣＰＵ１３１、ＲＯＭ１３２、ＲＡＭ１３３は、インタフェイス１３４を介して図２に示したコンピュータのハードウエアの外部とデータ交換を行えるようになっている。例えば、インタフェイス１３４は、入力端子１１２と接続されており、入力端子１１２から検知データを受取るようになっている。また、インタフェイス１３４は、図示を省略の送信部と接続されており、送信部に後述する暗号化データ及び識別情報を送るようになっている。
送信部は、外部に識別情報と暗号化データを、送信部から所定の距離範囲に対して所定の時間間隔毎に送信するものである。具体的には、送信部を中心として所定の距離まで、指向性の無い電波を発するものとされている。これには限られないが、この実施形態では、送信部は、「Ｂｌｕｅｔｏｏｔｈ  Ｌｏｗ  Ｅｎｅｒｇｙ（ＢＬＥ）」カード（商標）を用いて構成されている。ＢＬＥによれば、数十ｍ程度の距離の無線でのデータの送信が可能である。
【００１６】
上記プログラムをＣＰＵ１３１が実行することにより、送信装置１１０の内部には、図３に示した如き種々の機能ブロックが生成される。
コンピュータの内部には、入力部１４１、暗号化部１４２、識別情報記録部１４３、出力部１４４が生成される。
【００１７】
入力部１４１はインタフェイス１３４と接続されており、インタフェイス１３４からの入力を受取るものである。上述したように、インタフェイス１３４には入力端子１１２から、検知データが入力されるが、この検知データはインタフェイス１３４から入力部１４１に入力されるようになっている。入力部１４１は、検知データを受取ると、それを暗号化部１４２に送るようになっている。
【００１８】
暗号化部１４２は、検知データを暗号化して暗号化データにするものである。暗号化部１４２が検知データを暗号化する方法はどのようなものでも良い。すべての送信装置１１０の暗号化部１４２で共通の方法による暗号化が行われても良いし、そうでなくてもよい。
暗号化部１４２は所定のアルゴリズムで暗号化を行うようになっている。すべての送信装置１１０の暗号化部１４２で共通のアルゴリズムを用いた暗号化が行われるようになっていても良いし、そうでなくても良いが、この実施形態では、すべての送信装置１１０の暗号化部１４２で、共通のアルゴリズムを用いた暗号化が行われるようになっている。これには限られないがこの実施形態におけるすべての送信装置１１０における暗号化部１４２は、共通鍵方式の暗号化を行うようになっている。
暗号化部１４２は検知データの暗号化を行うときに、識別情報記録部１４３から識別情報を読み出すようになっている。識別情報記録部１４３は、識別情報を記録するものである。識別情報は、各送信装置１１０を他の送信装置１１０から識別し、ひいては各生体情報検知装置１００を他の生体情報検知装置１００から識別するための各送信装置１１０にユニークな情報である。識別情報は例えば、数字或いは英字又はそれらの双方を羅列したものとなっている。
暗号化部１４２は、識別情報或いは識別情報に基いてあるアルゴリズムにより得られる情報を共通鍵の鍵として用いて暗号化を行うようになっている。
暗号化部１４２は、検知データを暗号化して得られた暗号化データを、識別情報とともに出力部１４４に対して送るようになっている。
出力部１４４は、暗号化データ及び識別情報を受取った場合、それらをインタフェイス１３４に送るようになっている。インタフェイス１３４は、受取った暗号化データと識別情報を送信部に送るようになっている。送信部は、受取った識別情報を付して（例えば、ヘッダに埋め込んで）、暗号化データを送信するようになっている。
【００１９】
データ収集装置２００は、生体情報検知装置１００から送られて来た暗号化データを受取るためのものである。データ収集装置２００は、本願発明との関係でいえば、暗号化データを受取りそれを復号化して検知データに戻すことができることが必要十分条件となるが、それ以外の機能、例えば、検知データを記録する機能、検知データを他の装置に送信する機能、検知データに基づく分析等のデータ処理を行う機能等を有していても良い。この実施形態では、データ収集装置２００は、検知データを後述のようにして記録するものとして話を進める。
【００２０】
データ収集装置２００は、例えば、一般的なコンピュータにて構成することができる。ただし、このコンピュータは、生体情報検知装置１００が発する電波を受信できるハードウエアを有している必要がある。
【００２１】
データ収集装置２００が有するハードウエアは、基本的には、図２に示した送信装置１１０のハードウエアと同じで良いが、それに大容量記録装置を追加したものとするのが一般的である。
送信装置１１０は、図４に示したように、ＣＰＵ２３１、ＲＯＭ２３２、ＲＡＭ２３３、ＨＤＤ２３４、インタフェイス２３５及びこれらを接続するバス２３６を備えている。
ＣＰＵ２３１は、演算装置であり、データ収集装置２００全体の制御を行う。ＣＰＵ２３１は、プログラムを実行することで、以下に説明するような種々の処理を実行する。
ＲＯＭ２３２は、書換不可能なメモリであり、ＣＰＵ２３１を動作させるためのプログラム、データなどを記憶している。ＲＯＭ２３２には、これには限られないが、上記データの１つとして、すべての送信装置１１０についての識別情報も記録されている。上記プログラムとしては、例えば、ＣＰＵ２３１を動作させるためのＯＳが記録されている。また、データ収集装置２００としてのコンピュータを本願発明のデータ収集装置として機能させるためのプログラムも、ＲＯＭ２３２に記録されている。なお、それらプログラムは、データ収集装置２００の出荷時からデータ収集装置２００にインストールされていてもよい。プログラムがＨＤＤ２３４に記録されているのであれば、プログラムは、データ収集装置２００の出荷後に、例えば管理者によりデータ収集装置２００にインストールされたものであっても構わない。データ収集装置２００の出荷後にそのプログラムがデータ収集装置２００にインストールされる場合、そのプログラムは、ＣＤ−ＲＯＭ等の記録媒体からデータ収集装置２００にインストールされてもよく、また、インターネット等の所定のネットワークからのダウンロードを経てデータ収集装置２００にインストールされたものであってもよい。上述のプログラムは、それ単独で後述する処理をＣＰＵ２３１に実行させるものとなっていてもよく、ＯＳその他の他のプログラムとの協働により後述の処理をＣＰＵ２３１に実行させるものとなっていても構わない。なお、上述の如きプログラム、データの少なくとも一部を、ＨＤＤ２３４その他の大容量記録装置に記録させることも可能である。
ＲＡＭ２３３は、書換可能なメモリであり、ＣＰＵ２３１が以下の処理を実行する場合のワーク領域を提供する。
インタフェイス２３５は、ＣＰＵ２３１、ＲＯＭ２３２、ＲＡＭ２３３、ＨＤＤ２３４とデータ収集装置２００の図４で示したハードウエアの外部とを繋ぐ窓口となるものであり、ＣＰＵ２３１、ＲＯＭ２３２、ＲＡＭ２３３、ＨＤＤ２３４は、インタフェイス２３５を介して図３に示したコンピュータのハードウエアの外部とデータ交換を行えるようになっている。例えば、インタフェイス２３５は、後述する受信部と接続されており、受信部から暗号化データ及び識別情報を受取るようになっている。
受信部は、送信装置１１０の送信部が送信した電波を受信するためのものである。それが可能な限り受信部は、どのように構成されていても構わない。この実施形態では、受信部は、ＢＬＥを用いて構成されている。
【００２２】
上記プログラムをＣＰＵ２３１が実行することにより、データ収集装置２００の内部には、図５に示した如き種々の機能ブロックが生成される。
コンピュータの内部には、入力部２４１、復号化部２４２、識別情報記録部２４３、検知データ記録部２４４が生成される。
【００２３】
入力部２４１はインタフェイス２３５接続されており、インタフェイス２３５からの入力を受取るものである。上述したように、インタフェイス２３５には受信部から暗号化データ及び識別情報が入力されるが、これら暗号化データ及び識別情報は、インタフェイス２３５から入力部２４１に入力されるようになっている。入力部２４１は、暗号化データ及び識別情報を受取ると、それらを復号化部２４２に送るようになっている。
【００２４】
復号化部２４２は、暗号化データを復号化して元の検知データにするものである。復号化部２４２が暗号化データを復号化する方法はどのようなものでも良いが、送信装置１１０の暗号化部１４２で暗号化したデータを復号化することが可能でなくてはならないのであるから、その復号化の方法は送信装置１１０の暗号化部１４２で採用される暗号化の方法により決定される。例えば、各送信装置１１０で用いられる暗号化の方法が異なるのであれば、各データ収集装置２００は各送信装置１１０から送られてきた暗号化データに対して異なる方法を用いて、例えば異なるアルゴリズムを用いて、復号化の処理を行うことも有り得る。
復号化部２４２は所定のアルゴリズムで復号化を行うようになっている。この実施形態では、これには限られないが、すべてのデータ収集装置２００の復号化部２４２で、すべての生体情報検知装置１００から送られてきた暗号化データに対して、共通のアルゴリズムを用いた復号化が行われるようになっている。これには限られないがこの実施形態におけるすべてのデータ収集装置２００における復号化部２４２は、共通鍵方式で復号化を行うようになっている。
復号化部２４２は暗号化データの復号化を行うときに、まず、その暗号化データとともに送られてきた識別情報（暗号化データに紐付けられていた識別情報）と同じ識別情報が、識別情報記録部２４３の中に存在するか否かを調べる。暗号化データとともに送られてきた識別情報と同じ識別情報が識別情報記録部２４３の中に存在したのであれば、その識別情報とともに送られてきた暗号化データを、正しい送信装置１１０から、或いは正しい生体情報検知装置１００から送られてきた暗号化データであると判定するものとする。これは、生体情報検知装置１００の簡易な認証に相当する。他方、復号化部２４２は、暗号化データとともに送られてきた識別情報が識別情報記録部２４３の中に記録されていなかった場合には、以下の処理を中止する。もっとも、かかる生体情報検知装置１００の認証の処理は省略することもできる。
復号化部２４２は、暗号化データが正しい生体情報検知装置１００から送られてきたものだと判定した場合にのみ、暗号化データを復号化する。暗号化データの復号化には、この実施形態では、その暗号化データに紐付けられていた識別情報又は識別情報に基いてあるアルゴリズムにより得られる情報を共通鍵の鍵として用いるようになっている。つまり、復号化部２４２は、各生体情報検知装置１００からの暗号化データに対して、同じアルゴリズムを用いて復号化を行うが、復号化を行うときに用いる鍵は、暗号化データを送ってきた生体情報検知装置１００のそれぞれ毎に異なるものとなる。
復号化部２４２は、暗号化データ毎に復号化して得た検知データを、検知データ記録部２４４に記録するようになっている。
検知データ記録部２４４は、検知データを記録するものである。記録される検知データは、その検知データがどの生体情報検知装置１００で得られたものか判るように、例えば、各生体情報検知装置１００の検知データと紐付けて検知データ記録部２４４に記録されるようになっている。
【００２５】
以上説明したデータ収集システムの使用方法と、動作について説明する。
この実施形態では、データ収集システムは、これには限られないが、図６に例示した如きイベント会場Ｅの建物内で使用される。イベント会場Ｅの建物は、壁Ｗで囲まれており、ユーザの動線を形成する壁Ｗによりその内部が仕切られている。イベント会場の壁Ｗには、入り口Ｉと、出口Ｏとが設けられている。
イベント会場Ｅの内部には、イベントが行われる幾つかのステージがある。この実施形態では、イベント会場Ｅの内部には、ステージＳＡ〜ＳＨの８つのステージが存在するものとする。
各ステージＳＡ〜ＳＨには、データ収集装置２００が置かれている。それらデータ収集装置２００を区別する場合には、それらデータ収集装置２００のそれぞれを、データ収集装置２００Ａ〜２００Ｈと称することとする。
各データ収集装置２００の周囲の破線は、その範囲に存在する生体情報検知装置１００からの電波がそのデータ収集装置２００に届く範囲を示している。かかる範囲の大きさは生体情報検知装置１００の送信装置１１０に搭載のＢＬＥカードの性能によって決まる。
【００２６】
まず、データ収集システムの管理者が、上述のようにデータ収集装置２００Ａ〜２００Ｈを配置する。
他方、データ収集システムの管理者は、イベントに参加する、イベント会場Ｅを訪れた各ユーザに、生体情報検知装置１００を配布する。生体情報検知装置１００はすべてのユーザに配布しても良いし、ユーザのうちの所定の割合、例えば半数程度に配布してもかまわない。これには限られないが、この実施形態では、送信装置１１０と、センサ装置１２０Ａとを組合せた生体情報検知装置１００を、イベント会場Ｅに入る前のユーザに配布するものとする。生体情報検知装置１００は、ユーザに配布する段階で既に、送信装置１１０とセンサ装置１２０Ａとを接続した（センサ装置１２０Ａの出力端子１２０Ａ３を、送信装置１１０の入力端子１１２に挿入した）状態としてもよいし、かかる接続をユーザに行わせるようにしてもよい。
データ収集システムの管理者は、センサ装置１２０をユーザに配布する段階で、各ユーザを特定する情報（氏名、住所、連絡先等）をユーザから受取る必要は特にないが、センサ装置１２０がユーザに対して貸与されるものであるのであれば、ユーザからセンサ装置１２０を追って回収することができるように、何らかの処置を講じるべきであろう。
【００２７】
ユーザは、配布された生体情報検知装置１００を保持し、且つ心拍数センサ部１２０Ａ１を身体のうちの心拍数を検知するのに適した場所、例えば手首に取り付ける。これにより、心拍数センサ部１２０Ａ１により各ユーザの心拍数が検知されることになる。心拍数センサ部１２０Ａ１はユーザの心拍数を検知し、その時点におけるユーザの心拍数についてのデータである検知データを生成する。
生成された検知データは、ケーブル１２０Ａ２、出力端子１２０Ａ３を介して、送信装置１１０の入力端子１１２に送られる。検知データは、これには限られないが、この実施形態では１秒に１回生成され、生成される都度送信装置１１０に送られる。
【００２８】
送信装置１１０は入力端子１１２で検知データを受取る。入力端子１１２で受取られた検知データは、インタフェイス１３４を介して入力部１４１に送られる。
入力部１４１は受取った検知データを、それを受取る都度暗号化部１４２に送る。
【００２９】
検知データを受取った暗号化部１４２は、識別情報を識別情報記録部１４３から読み出す。暗号化部１４２は、検知データを暗号化する。暗号化部１４２は、共通鍵方式の暗号化を行うがその際に、識別情報を鍵として用いる。なお、鍵は識別情報そのものではなく、識別情報に基いて何らかのアルゴリズムで生成することも可能であるが、その場合には鍵の共有を送信装置１１０とデータ収集装置２００とで行えるようにするために、識別情報から鍵を生成するための上述のアルゴリズムを送信装置１１０とデータ収集装置２００との間で予め共有しておく必要がある。
いずれにせよ、暗号化部１４２は、検知データを受取る度に検知データを暗号化して暗号化データにする。生成された暗号化データは、生成される都度識別情報とともに出力部１４４へと送られる。
出力部１４４は、暗号化データと識別情報とを受取る度に、暗号化データを識別情報とともに、インタフェイス１３４を介して送信部へと送る。
【００３０】
送信部は、暗号化データを受取る度に、識別情報とともに暗号化データを発信する。識別情報は、発信されるためのデータの例えばヘッダに含めることができる。発信された電波は、所定の距離範囲にまで届くが、この電波には指向性はなく、送信部を中心として３６０°すべての方向に広がる。
ユーザは、生体情報検知装置１００を身に付けて入り口Ｉからイベント会場Ｅの中に入り、ステージＳＡ〜ＳＨを移動し、そのうち好みのものの前で足を止め、やがては出口Ｏからイベント会場Ｅを後にする。
その過程で、生体情報検知装置１００は、データ収集装置２００に電波が届く範囲内に位置する場合がある。
【００３１】
図６中に多数示されている１００の符号が付されたものが生体情報検知装置１００である。図６では、ユーザを省略して生体情報検知装置１００のみを図示している。
ユーザが入り口からイベント会場Ｅに入ると、ユーザの進む方向にもよるが、まもなく、そのユーザの身に付けた生体情報検知装置１００は、ステージＳＡに設けられたデータ収集装置２００Ａに電波が届く範囲に入る。
ある生体情報検知装置１００が、ステージＳＡに設けられたデータ収集装置２００Ａに電波が届く範囲に入ったとする。そうすると、データ収集装置２００Ａの受信部がその生体情報検知装置１００からの電波を受信する。
【００３２】
データ収集装置２００Ａは、その受信部で、生体情報検知装置１００からの電波を受信する。電波によって生体情報検知装置１００から送られているのは、識別情報が付された暗号化データである。
受信部で受信された識別情報の付された暗号化データは、受信部からインタフェイス２３５を経て、入力部２４１に送られる。入力部２４１は、暗号化データ及び識別情報を受取ると、それらを復号化部２４２に送るようになっている。
【００３３】
復号化部２４２は、暗号化データと識別情報とを受取ると、まず、受取った暗号化データに紐付けられていた識別情報と同じ識別情報が、識別情報記録部２４３の中に存在するか否かを調べる。暗号化データと紐付けられていた識別情報と同じ識別情報が識別情報記録部２４３の中に存在したのであれば、その識別情報とともに送られてきた暗号化データを、正しい送信装置１１０から、或いは正しい生体情報検知装置１００から送られてきた暗号化データであると、復号化部２４２は判定する。他方、復号化部２４２は、暗号化データとともに送られてきた識別情報が識別情報記録部２４３の中に記録されていなかった場合には、以下の処理を中止する。これにより、生体情報検知装置１００の認証が行われる。
次に、復号化部２４２は、暗号化データを復号化して元の検知データにする。かかる復号化は、共通鍵方式の復号化法を用いて行われる。復号化部２４２は、暗号化データに紐付けられていた識別情報を、その場合の鍵として用いる。もっとも、送信装置１１０の暗号化部１４２において、識別情報に対して何らかのアルゴリズムを用いて演算を行うことで生成されたデータが検知データを暗号化する際の鍵として用いられたのであれば、復号化部２４２も識別情報に対して暗号化部１４２と共有していたアルゴリズムで演算を行うことによってデータを生成し、そのデータを鍵として用いることも可能である。
いずれにせよ、復号化部２４２は、暗号化データを受取る度にそれを復号化して、検知データを得る。検知データはそれが生成される都度、復号化部２４２から、検知データ記録部２４４に送られる。
【００３４】
検知データ記録部２４４に記録されたデータは、例えば、図７に示したようなものとなる。
図７には、「３２１５５５４」という識別情報と、「５６９７５８８」という識別情報をそれぞれ付与された２つの生体情報検知装置１００で生成された検知データを示している。横軸は時刻であり、縦軸は１分あたりの心拍数を示している。
識別情報３２１５５５４の生体情報検知装置１００で検知された検知データによれば、その生体情報検知装置１００を持ったユーザは、１２時頃にデータ収集装置２００ＡのあるステージＳＡに近づき、１３時前にはデータ収集装置２００ＡのあるステージＳＡから遠ざかったということがわかる。また、そのユーザの心拍数は概ね６０台前半であるが、１２時３０分頃の数分間だけ８０台近くまで上がっており、その時刻にステージＳＡで、そのユーザが興奮する、驚く等のそのユーザの心拍数を上げるような出来事があったことがうかがわれる。
また、識別情報５６９７５８８の生体情報検知装置１００で検知された検知データによれば、その生体情報検知装置１００を持ったユーザは、１０時３０分頃と、１２時頃の２回、データ収集装置２００ＡのあるステージＳＡに近づき、それぞれ１時間強と、３０分程度データ収集装置２００ＡのあるステージＳＡの傍にいたということがわかる。また、１０時３０分頃にステージＳＡに近づいたそのユーザの心拍数は、１１時３０分頃にピークを迎えており、その時刻にステージＳＡでそのユーザの心拍数を上げるような出来事があったことがうかがわれる。他方、１２時頃にステージＳＡに近づいたそのユーザの心拍数は、６０弱で一定であり、ステージＳＡではそのユーザの心拍数を上げるような出来事がなかったことがうかがわれる。
【００３５】
このように、生体情報検知装置１００を持つユーザがデータ収集装置２００Ａ〜２００Ｈのいずれかに近づくと、そのユーザが近づいたデータ収集装置２００Ａ〜２００Ｈのいずれかが、そのユーザの心拍数を記録し始める。各データ収集装置２００におけるかかる検知データの記録は、各データ収集装置２００が複数の生体情報検知装置１００からの電波を同時に受けている場合には、その電波を発信している複数の生体情報検知装置１００からの検知データ（暗号化データ）に対して並行して同時に行われるようにすることができる。他方、生体情報検知装置１００を持つユーザがデータ収集装置２００Ａ〜２００Ｈから電波の届かない距離まで離れると、それまでデータ収集装置２００Ａ〜２００Ｈで行われていた検知データの記録が終わる。
生体情報検知装置１００の送信装置１１０の送信部は上述のように電波を発信するがその電波には指向性がないし、特定のデータ収集装置２００Ａ〜２００Ｈを通信の相手方として特定していないから、生体情報検知装置１００の電波の届く範囲に複数のデータ収集装置２００が存在する場合には、複数のデータ収集装置２００が同時に１つの生体情報検知装置１００で生成された検知データを記録する場合もあり得る。
例えば、ステージＳＣにあるデータ収集装置２００Ｃと、ステージＳＤにあるデータ収集装置２００Ｄとは、そこに生体情報検知装置１００が存在した場合にその生体情報検知装置１００からの電波がそれらデータ収集装置２００Ｃ及びデータ収集装置２００Ｄに届く範囲が重複しているから、その重複した範囲にユーザがいる場合には、そこにいるユーザの心拍数は２つのデータ収集装置２００Ｃ及びデータ収集装置２００Ｄで、同時に記録されるようになる。
例えば、データ収集装置２００Ａ〜２００Ｈで記録した特定のユーザの検知データをまとめて見れば、ある識別情報が割振られた生体情報検知装置１００を持ったあるユーザが、イベント会場Ｅをいつ訪れ、いつ去ったか、また、ステージＳＡ〜ＳＨのどれをいつ訪れ、いつ去ったか、また、そのユーザの心拍数が上がったのがいつか、ということを把握することができる。
或いは、データ収集装置２００Ａ〜２００Ｈのいずれかの検知データ記録部２４４に記録された全ての識別情報についての検知データをまとめて見れば、各時刻に当該データ収集装置２００の近くにいたユーザの数とそのときの各ユーザの心拍数を把握することができる。
データ収集装置２００に記録した検知データは、上述の如き分析を行うために極めて有用である。このとき、各ユーザを特定する情報を管理者が保有していなかったとしても、上記検知データはいわゆるビッグデータとして価値を持つ。
より正確な分析を行うには、データ収集装置２００の数をより増やし、ユーザがイベント会場Ｅ内のどこにいても、いずれかのデータ収集装置２００がユーザの心拍数を記録するようにすべきである。例えば、このデータ収集システムがマラソン大会におけるランナーの健康状態の把握に用いられるのであれば、各ランナーがマラソンコースのどこにいても各ランナーの検知データをリアルタイムでモニタできるように、マラソンコースの全体のどこにランナーがいても、ランナーが持つ生体情報検知装置１００の電波をいずれかのデータ収集装置２００が受信できるように、データ収集装置２００を多数配置すべきであろう。
また、データ収集装置２００にて収集した検知データは、略リアルタイムに分析されても良いし、事後的に分析されても良い。
【００３６】
ユーザが、イベント会場Ｅの出口Ｏから出たら、データ収集システムの管理者はユーザから生体情報検知装置１００を回収する。
【符号の説明】
【００３７】
１００  生体情報検知装置
１１０  送信装置
１１１  ケース
１１２  入力端子
１２０  センサ装置
１２０Ａ１  心拍数センサ部
１２０Ａ３  出力端子
１２０Ｂ１  脈波センサ部
１２０Ｂ３  出力端子
１２１  入力部
１２２  暗号化部
１２３  識別情報記録部
１２４  出力部
２００  データ収集装置
２２１  入力部
２２２  復号化部
２２３  識別情報記録部
２２４  検知データ記録部
ＳＡ〜ＳＨ  ステージ
【図１】
2018042493.tif 000003
【図２】
2018042493.tif 000004
【図３】
2018042493.tif 000005
【図４】
2018042493.tif 000006
【図５】
2018042493.tif 000007
【図６】
2018042493.tif 000008
【図７】
2018042493.tif 000009
【手続補正書】
【提出日】平成30年4月16日(2018.4.16)
【手続補正１】
【補正対象書類名】特許請求の範囲
【補正対象項目名】全文
【補正方法】変更
【補正の内容】
【特許請求の範囲】
【請求項１】
経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている、多数のユーザがそれぞれ保持する多数の生体情報検知装置と、
前記所定の距離範囲内にある前記生体情報検知装置から前記暗号化データを受信する受信部と、前記暗号化データを復号化して前記検知データとする復号化部と、を備えている、互いに離れたところに配置されることが予定された複数のデータ収集装置と、
を含んでいる生体情報収集システムであって、
前記生体情報検知装置それぞれの暗号化部が暗号化に用いるアルゴリズムはすべて共通であるとともに、前記データ収集装置それぞれの復号化部が復号化に用いるアルゴリズムはすべて共通であり、
前記生体情報検知装置のそれぞれは、前記生体情報検知装置のそれぞれを識別するために割振られた識別情報を備えているとともに、
前記生体情報検知装置のそれぞれの前記暗号化部は、当該生体情報検知装置が持つ前記識別情報に基づく鍵を用いて前記検知データの暗号化を行うようになっているとともに、前記送信部は、前記識別情報を付して前記暗号化データを送信するようになっており、前記データ収集装置のそれぞれの前記復号化部は、前記データ収集装置のそれぞれが受取った前記暗号化データに付された前記識別情報に基づく鍵を用いて前記暗号化データの復号化を行うようになっている、
生体情報収集システム。
【請求項２】
前記生体情報検知装置のそれぞれは、前記生体情報検知装置のそれぞれを識別するために割振られた識別情報を備えているとともに、前記送信部のそれぞれは、前記識別情報を前記暗号化データに付して送信するようになっており、
前記データ収集装置のそれぞれは、前記暗号化データを復号化した場合に、かかる復号化を行うことによって得られた前記検知データを、前記検知データの元となった前記暗号化データに付されていた前記識別情報と紐付けるようになっている、
請求項１記載の生体情報収集システム。
【請求項３】
請求項１又は２に記載のデータ収集装置。
【請求項４】
請求項１又は２に記載の生体情報検知装置。
【請求項５】
請求項４記載の生体情報収集システムにおける生体情報検知装置を、経時的に変動する所定の生体情報についての値を人体から検知する検知装置との組合せにより構成するための、前記検知装置との組合せを変更できるようになっている送信装置であって、
前記検知装置から前記値についてのデータである検知データを受取る受取り部と、前記暗号化部と、前記送信部とを備えているとともに、前記送信装置のそれぞれは、前記送信装置のそれぞれを識別するために割振られた識別情報を持っており、
前記暗号化部は、前記受取り部で受取った前記検知データを、すべての前記送信装置で共通のアルゴリズムと、当該送信装置が持つ前記識別情報に基づく鍵と、を用いて暗号化して暗号化データとするようになっており、
前記送信部は、当該送信装置が持っている前記識別情報を付した前記暗号化データを所定の距離範囲に対して無線で所定の時間間隔毎に送信するようになっている、
送信装置。
【請求項６】
多数のユーザがそれぞれ保持する多数の生体情報検知装置のそれぞれで実行される、
経時的に変動する所定の生体情報についての値を人体から検知する第１過程と、
検知した前記値についてのデータである検知データを暗号化して暗号化データとする第２過程と、
前記暗号化データを所定の距離範囲に対して無線で所定の時間間隔毎に送信する第３過程と、
互いに離れたところに配置された複数のデータ収集装置のそれぞれで実行される、
前記所定の距離範囲内にある前記生体情報検知装置から前記暗号化データを受信する第４過程と、
前記暗号化データを復号化して前記検知データとする第５過程と、
を含んでおり、
前記生体情報検知装置それぞれが前記第２過程で用いるアルゴリズムはすべて共通であるとともに、前記データ収集装置それぞれが前記第５過程で用いるアルゴリズムはすべて共通であり、
前記生体情報検知装置のそれぞれは、前記第２過程を実行する際に、前記生体情報検知装置が備える、それらのそれぞれを識別するために前記生体情報検知装置のそれぞれに割振られた識別情報に基づく鍵を用いて前記検知データの暗号化を行うとともに、前記第３過程を実行する際に、前記識別情報を付して前記暗号化データを送信し、
前記データ収集装置のそれぞれは、前記第５過程を実行する際に、前記データ収集装置のそれぞれが受取った前記暗号化データに付された前記識別情報に基づく鍵を用いて前記暗号化データの復号化を行う、
生体情報収集方法。
【手続補正書】
【提出日】平成30年7月2日(2018.7.2)
【手続補正１】
【補正対象書類名】特許請求の範囲
【補正対象項目名】全文
【補正方法】変更
【補正の内容】
【特許請求の範囲】
【請求項１】
経時的に変動する所定の生体情報についての値を人体から検知する検知部と、前記検知部で検知した前記値についてのデータである検知データを暗号化して暗号化データとする暗号化部と、前記暗号化データを所定の距離範囲に対して無線で所定の時間間隔毎に送信する送信部と、を備えている、多数のユーザがそれぞれ保持する多数の生体情報検知装置と、
前記所定の距離範囲内にある前記生体情報検知装置から前記暗号化データを受信する受信部と、前記暗号化データを復号化して前記検知データとする復号化部と、を備えている、互いに離れたところに配置して使用される複数のデータ収集装置と、
を含んでいる生体情報収集システムであって、
前記生体情報検知装置それぞれの暗号化部が暗号化に用いるアルゴリズムはすべて共通であるとともに、前記データ収集装置それぞれの復号化部が復号化に用いるアルゴリズムはすべて共通であり、
前記生体情報検知装置のそれぞれは、前記生体情報検知装置のそれぞれを識別するために割振られた識別情報を備えているとともに、
前記生体情報検知装置のそれぞれの前記暗号化部は、当該生体情報検知装置が持つ前記識別情報に基づく鍵を用いて前記検知データの暗号化を行うようになっているとともに、前記送信部は、前記識別情報を付して前記暗号化データを送信するようになっており、前記データ収集装置のそれぞれの前記復号化部は、前記データ収集装置のそれぞれが受取った前記暗号化データに付された前記識別情報に基づく鍵を用いて前記暗号化データの復号化を行うようになっている、
生体情報収集システム。
【請求項２】
前記生体情報検知装置のそれぞれは、前記生体情報検知装置のそれぞれを識別するために割振られた識別情報を備えているとともに、前記送信部のそれぞれは、前記識別情報を前記暗号化データに付して送信するようになっており、
前記データ収集装置のそれぞれは、前記暗号化データを復号化した場合に、かかる復号化を行うことによって得られた前記検知データを、前記検知データの元となった前記暗号化データに付されていた前記識別情報と紐付けるようになっている、
請求項１記載の生体情報収集システム。
【請求項３】
請求項１記載の生体情報収集システムにおける生体情報検知装置を、経時的に変動する所定の生体情報についての値を人体から検知する検知装置との組合せにより構成するための、前記検知装置との組合せを変更できるようになっている送信装置であって、
前記検知装置から前記値についてのデータである検知データを受取る受取り部と、前記暗号化部と、前記送信部とを備えているとともに、前記送信装置のそれぞれは、前記送信装置のそれぞれを識別するために割振られた識別情報を持っており、
前記暗号化部は、前記受取り部で受取った前記検知データを、すべての前記送信装置で共通のアルゴリズムと、当該送信装置が持つ前記識別情報に基づく鍵と、を用いて暗号化して暗号化データとするようになっており、
前記送信部は、当該送信装置が持っている前記識別情報を付した前記暗号化データを所定の距離範囲に対して無線で所定の時間間隔毎に送信するようになっている、
送信装置。
【請求項４】
多数のユーザがそれぞれ保持する多数の生体情報検知装置のそれぞれで実行される、
経時的に変動する所定の生体情報についての値を人体から検知する第１過程と、
検知した前記値についてのデータである検知データを暗号化して暗号化データとする第２過程と、
前記暗号化データを所定の距離範囲に対して無線で所定の時間間隔毎に送信する第３過程と、
互いに離れたところに配置された複数のデータ収集装置のそれぞれで実行される、
前記所定の距離範囲内にある前記生体情報検知装置から前記暗号化データを受信する第４過程と、
前記暗号化データを復号化して前記検知データとする第５過程と、
を含んでおり、
前記生体情報検知装置それぞれが前記第２過程で用いるアルゴリズムはすべて共通であるとともに、前記データ収集装置それぞれが前記第５過程で用いるアルゴリズムはすべて共通であり、
前記生体情報検知装置のそれぞれは、前記第２過程を実行する際に、前記生体情報検知装置が備える、それらのそれぞれを識別するために前記生体情報検知装置のそれぞれに割振られた識別情報に基づく鍵を用いて前記検知データの暗号化を行うとともに、前記第３過程を実行する際に、前記識別情報を付して前記暗号化データを送信し、
前記データ収集装置のそれぞれは、前記第５過程を実行する際に、前記データ収集装置のそれぞれが受取った前記暗号化データに付された前記識別情報に基づく鍵を用いて前記暗号化データの復号化を行う、
生体情報収集方法。
【国際調査報告】
2018042493.tif 000010
2018042493.tif 000011